(57)【要約】【課題】温度変化による発光装置の損傷を低減する。【解決手段】発光システム５０は、発光装置１０及び収容部２０を含んでいる。収容部２０は、移動体３０に取り付けられており、収容空間２２を有している。発光装置１０は、収容空間２２内に可動に収容されており、収容部２０に接着されていない。発光装置１０は、板形状を有している。発光装置１０は、第１面１２、第２面１４、第１側１６ａ、第２側１６ｂ、第３側１６ｃ及び第４側１６ｄを有している。発光装置１０は、第１面１２及び第２面１４の間に厚さＴを有し、第１側１６ａ及び第２側１６ｂの間に長さＬ１を有し、第３側１６ｃ及び第４側１６ｄの間に長さＬ２を有している。【選択図】図３
2020090111.tif 000002
【特許請求の範囲】
【請求項１】
移動体に取り付けられ、収容空間を有する収容部と、
前記収容空間内に可動に収容され、前記収容部に接着されていない発光装置と、
を含む発光システム。
【請求項２】
請求項１に記載の発光システムにおいて、
前記発光装置は、第１面と、前記第１面の反対側の第２面と、を有し、
前記収容部は、前記発光装置の前記第１面と対向する第１内面と、前記発光装置の前記第２面と対向する第２内面と、を有し、
前記発光装置の前記第１面と前記収容部の前記第１内面の間及び前記発光装置の前記第２面と前記収容部の前記第２内面の間の少なくとも一方に隙間が存在する、発光システム。
【請求項３】
請求項１又は２に記載の発光システムにおいて、
前記発光装置は、第１側と、前記第１側の反対側の第２側と、を有し、
前記収容部は、前記発光装置の前記第１側と対向する第３内面と、前記発光装置の前記第２側と対向する第４内面と、を有し、
前記発光装置の前記第１側及び前記収容部の前記第３内面の間及び前記発光装置の前記第２側及び前記収容部の前記第４内面の間の少なくとも一方に隙間が存在する、発光システム。
【請求項４】
請求項３に記載の発光システムにおいて、
前記発光装置は、前記第１側及び前記第２側の間の第３側と、前記第３側の反対側の第４側と、を有し、
前記収容部は、前記発光装置の前記第３側と対向する第５内面と、前記発光装置の前記第４側と対向する第６内面と、を有し、
前記発光装置の前記第３側及び前記収容部の前記第５内面の間及び前記発光装置の前記第４側及び前記収容部の前記第６内面の間の少なくとも一方に隙間が存在する、発光システム。
【請求項５】
請求項４に記載の発光システムにおいて、
前記第３側及び前記第４側の間における前記発光装置の長さは、前記第１側及び前記第２側の間における前記発光装置の長さより大きい、発光システム。
【請求項６】
請求項１に記載の発光システムにおいて、
前記発光装置は、第１面と、前記第１面の反対側の第２面と、第１側と、前記第１側の反対側の第２側と、を有し、
前記収容部は、凹部を有する第１収容部材と、第２収容部材と、を有し、
前記第１収容部材の前記凹部は、前記発光装置の前記第１面に対向する第１内面と、前記発光装置の前記第１側に対向する第３内面と、前記発光装置の前記第２側に対向する第４内面と、を有し、
前記第２収容部材は、前記発光装置の前記第２面に対向する第２内面を有する、発光システム。
【請求項７】
請求項６に記載の発光システムにおいて、
前記第２収容部材は、前記第２内面を有する凸部を有し、
前記第２収容部材の前記凸部の少なくとも一部分は、前記第１収容部材の前記凹部内に位置している、発光システム。
【請求項８】
請求項７に記載の発光システムにおいて、
前記第１収容部材の前記凹部の深さ及び前記第２収容部材の前記凸部の高さのそれぞれは、前記第１面及び前記第２面の間における前記発光装置の厚さより大きい、発光システム。
【請求項９】
請求項１から８までのいずれか一項に記載の発光システムにおいて、
前記発光装置は、樹脂基板を含む、発光システム。
【請求項１０】
請求項１から９までのいずれか一項に記載の発光システムにおいて、
第１方向に向けられた前記発光装置である第１発光装置と、
前記移動体に取り付けられて、前記第１方向と異なる第２方向に向けられた第２発光装置と、
を含む発光システム。
【請求項１１】
請求項１０に記載の発光システムにおいて、
前記第１方向に向けて移動するための第１モードに前記移動体が移行するタイミングにおいて、前記第１発光装置は発光し、前記第２発光装置は発光せず、
前記第２方向に向けて移動するための第２モードに前記移動体が移行するタイミングにおいて、前記第２発光装置は発光し、前記第１発光装置は発光しない、発光システム。
【請求項１２】
請求項１１に記載の発光システムにおいて、
前記移動体が前記第１モード又は前記第２モードに移行したことを検知するための検知システムをさらに含み、
前記第１発光装置は、前記移動体が前記第１モードに移行したことを前記検知システムが検知した後、発光し、
前記第２発光装置は、前記移動体が前記第２モードに移行したことを前記検知システムが検知した後、発光する、発光システム。
【請求項１３】
請求項１０に記載の発光システムにおいて、
前記移動体が基準に対して前記第１方向に向けて移動しているタイミングにおいて、前記第１発光装置は発光し、前記第２発光装置は発光せず、
前記移動体が前記基準に対して前記第２方向に向けて移動しているタイミングにおいて、前記第２発光装置は発光し、前記第１発光装置は発光しない、発光システム。
【請求項１４】
請求項１３に記載の発光システムにおいて、
前記移動体が前記基準に対して第１方向又は第２方向に移動したことを検知するための検知システムをさらに含み、
前記第１発光装置は、前記移動体が前記基準に対して前記第１方向に移動したことを前記検知システムが検知した後、発光し、
前記第２発光装置は、前記移動体が前記基準に対して前記第２方向に移動したことを前記検知システムが検知した後、発光する、発光システム。
【請求項１５】
請求項１０から１４までのいずれか一項に記載の発光システムにおいて、
前記第２方向は、前記第１方向に対して反対である、発光システム。
【請求項１６】
請求項１から１５までのいずれか一項に記載の発光システムにおいて、
前記移動体は、自動車である、発光システム。
【発明の詳細な説明】
【技術分野】
【０００１】
本発明は、発光システムに関する。
【背景技術】
【０００２】
発光装置を移動体（例えば、自動車）に取り付ける場合、様々な目的（例えば、発光装置を保護する目的）から、発光装置（例えば、発光ダイオード（ＬＥＤ））は、収容部内に収容される。
【０００３】
特許文献１には、有機発光ダイオード（ＯＬＥＤ）を自動車のドアに取り付けることが記載されている。ＯＬＥＤは、ドア及びウインドウガラスの間に配置された透光性のベルトモールによって覆われている。
【０００４】
特許文献２には、ＯＬＥＤを自動車のルーフレールに取り付けることが記載されている。ルーフレールは、ボディ及びカバーを有している。ＯＬＥＤは、ボディ及びカバーの間に配置されている。カバーは、透光性を有している。
【先行技術文献】
【特許文献】
【０００５】
【特許文献１】特開２００９−１２６３１３号公報
【特許文献２】特開２００９−１４３５２０号公報
【発明の概要】
【発明が解決しようとする課題】
【０００６】
移動体（例えば、自動車）に取り付けられた発光装置の温度は、発光装置の状態及び発光装置の周囲（例えば、移動体）の状態に応じて、変化する。発光装置の温度が変化すると、発光装置の様々な変形（例えば、膨張、収縮又は反り）が生じ得る。本発明者は、発光装置が収容部に完全に固定されていると、発光装置の温度の変化時における収容部から発光装置への応力によって、発光装置に様々な損傷（例えば、クラック又は歪み）が生じ得ることを見出した。
【０００７】
本発明が解決しようとする課題としては、温度変化による発光装置の損傷を低減することが一例として挙げられる。
【課題を解決するための手段】
【０００８】
請求項１に記載の発明は、
移動体に取り付けられ、収容空間を有する収容部と、
前記収容空間内に可動に収容され、前記収容部に接着されていない発光装置と、
を含む発光システムである。
【図面の簡単な説明】
【０００９】
【図１】実施形態に係る発光システムを説明するための図である。
【図２】実施形態に係る発光システムを説明するための図である。
【図３】図１及び図２に示した発光システムの構造を説明するための図である。
【図４】図３のＡ−Ａ断面図である。
【図５】図３のＢ−Ｂ断面図である。
【図６】発光装置の一例の平面図である。
【図７】図６のＰ−Ｐ断面図である。
【図８】変形例１に係る発光システムの断面図である。
【図９】変形例１に係る発光システムの断面図である。
【図１０】変形例２に係る発光システムの断面図である。
【図１１】変形例２に係る発光システムの断面図である。
【図１２】発光装置の湾曲の詳細を説明するための図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
本明細書において「ＡがＢ上に位置する」という表現は、例えば、ＡとＢの間に他の要素（例えば、層）が位置せずにＡがＢ上に直接位置することを意味してもよいし、又はＡとＢの間に他の要素（例えば、層）が部分的又は全面的に位置することを意味してもよい。さらに、「上」、「下」、「左」、「右」、「前」及び「後ろ」等の向きを示す表現は、基本的に図面の向きと合わせて用いるものであって、例えば本明細書に記載された発明品の使用する向きに限定して解釈されるものではない。
【００１２】
本明細書において「凸」という表現は、特に断らない限り、ある面から出ばっている態様のことを意味し、当該態様を限定するために使用されない。例えば、凸の一様態は、ある面から単に真っ直ぐに出ばっている。別の一態様は、ある面から湾曲しながら出ばっている。
【００１３】
本明細書において「角度」は、２つの線の交点に対して定義できる。「ＡとＢのなす角度」という表現は、Ａのある１点を通る１つの接線と、Ｂのある１点を通る１つの接線と、の交点がなす１つの角度を意味する。また、ＡとＢは離間していてもよい。また、「面Ａと面Ｂのなす角度」の一例は、面Ａと面Ｂを含む断面図において、面Ａを示す線に対する第１の接線と、面Ｂを示す線に対する第２の接線と、の交点がなす一つの角度である。
【００１４】
本明細書において「Ａの外側」という表現は、特に断らない限り、Ａの縁を境にＡが位置しない側の部分のことを意味する。
【００１５】
本明細書中における陽極とは、発光材料を含む層（例えば有機層）に正孔を注入する電極のことを示し、陰極とは、発光材料を含む層に電子を注入する電極のことを示す。また、「陽極」及び「陰極」という表現は、「正孔注入電極」及び「電子注入電極」又は「正極」及び「負極」等の他の文言を意味することもある。
【００１６】
本明細書において「Ａの端」という表現は、一方向から見たときのＡとその他の要素との境界を意味する。
【００１７】
本明細書における「発光装置」とは、ディスプレイや照明等の発光素子を有するデバイスを含む。また、発光素子と直接的、間接的又は電気的に接続された配線、ＩＣ（集積回路）又は筐体等も「発光装置」に含む場合もある。
【００１８】
本明細書において、特に断らない限り、「膜」という表現と「層」という表現とは、状況及び場合に応じて適宜置換することが可能である。例えば、「絶縁膜」という文言は、「絶縁層」という文言に置換することが可能である。
【００１９】
本明細書において「接続」とは、複数の要素が直接的又は間接的を問わずに接続している状態を表す。例えば、複数の要素の間に接着剤又は接合部材が介して接続している場合も単に「複数の要素は接続している」と表現することがある。また、複数の要素の間に、電流、電圧又は電位を供給可能又は伝送可能な部材が存在しており、「複数の要素が電気的に接続している」場合も単に「複数の要素は接続している」と表現することがある。
【００２０】
本明細書において、特に断りがない限り「第１、第２、Ａ、Ｂ、（ａ）、（ｂ）」等の表現は要素を区別するためのものであり、その表現により該当要素の本質、順番、順序又は個数等が限定されるものではない。
【００２１】
本明細書において、各部材及び各要素は単数であってもよいし、又は複数であってもよい。ただし、文脈上、「単数」又は「複数」が明確になっている場合はこれに限らない。
【００２２】
本明細書において、「ＡがＢを含む」という表現は、特に断らない限り、ＡがＢのみによって構成されていることに限定されず、ＡがＢ以外の要素によって構成され得ることを意味する。
【００２３】
本明細書において「断面」とは、特に断らない限り、発光装置を画素や発光材料等が積層した方向に切断したときに現れる面を意味する。
【００２４】
本明細書において「有さない」、「含まない」、「位置しない」等の表現は、ある要素が完全に排除されていることを意味してもよいし、又はある要素が技術的な効果を有さない程度に存在していることを意味してもよい。
【００２５】
本明細書において、「〜後に」、「〜に続いて」、「〜次に」、「〜前に」等の時間的前後関係を説明する表現は、相対的な時間関係を表しているものであり、時間的前後関係が用いられた各要素が必ずしも連続しているとは限らない。各要素が連続していることを表現する場合、「直ちに」又は「直接」等の表現を用いることがある。
【００２６】
（実施形態）
図１及び図２は、実施形態に係る発光システム５０を説明するための図である。図１は、発光システム５０を有する移動体３０の側面図である。図２は、発光システム５０を有する移動体３０の上面図である。
【００２７】
図１及び図２に示す例において、移動体３０は、自動車である。実施形態の説明から明らかなように、発光システム５０は、自動車だけでなく、人が搭乗可能な他の移動体（例えば、モータサイクル、列車、船舶又は飛行機）にも適用可能である。
【００２８】
図１を用いて、発光システム５０を説明する。
【００２９】
発光システム５０は、複数の発光装置１０を含んでいる。各発光装置１０は、収容部２０（例えば、図３）に収容されている。したがって、移動体３０の外部環境（例えば、雨又は風）から発光装置１０を収容部２０によって保護することができる。
【００３０】
発光装置１０は、移動体３０のボディの様々な位置に取り付け可能である。図１に示す例では、各発光装置１０は、移動体３０のフロントドア３０ａ、リアドア３０ｂ、センタピラー３０ｃ、ルーフ３０ｄ、フロントフェンダ３０ｅ、リアフェンダ３０ｆ及びロッカパネル３０ｇに取り付けられている。フロントドア３０ａにおける発光装置１０は、フロントドア３０ａに取り付けられたドアモールに取り付けられていてもよい。リアドア３０ｂにおける発光装置１０は、リアドア３０ｂに取り付けられたドアモールに取り付けられていてもよい。センタピラー３０ｃにおける発光装置１０は、センタピラー３０ｃに取り付けられたガーニッシュに取り付けられていてもよい。ルーフ３０ｄにおける発光装置１０は、ルーフ３０ｄに取り付けられたルーフレールに取り付けられていてもよい。フロントフェンダ３０ｅにおける発光装置１０は、フロントフェンダ３０ｅに取り付けられたフェンダモールに取り付けられていてもよい。リアフェンダ３０ｆにおける発光装置１０は、リアフェンダ３０ｆに取り付けられたフェンダモールに取り付けられていてもよい。ロッカパネル３０ｇにおける発光装置１０は、ロッカパネル３０ｇに取り付けられたロッカパネルモールに取り付けられていてもよい。
【００３１】
図２を用いて、発光システム５０を説明する。
【００３２】
発光システム５０は、複数の発光装置１０（第１発光装置１０ａ及び第２発光装置１０ｂ）、検知システム５２及びドライバ５４を含んでいる。
【００３３】
第１発光装置１０ａは、第１方向Ｄ１に向けられている。第２発光装置１０ｂは、第２方向Ｄ２に向けられている。第２方向Ｄ２は、第１方向Ｄ１と異なっている。第１方向Ｄ１に向けて移動するための第１モードに移動体３０が移行するタイミングにおいて、第１発光装置１０ａは発光し、第２発光装置１０ｂは発光しない。第２方向Ｄ２に向けて移動するための第２モードに移動体３０が移行するタイミングにおいて、第２発光装置１０ｂは発光し、第１発光装置１０ａは発光しない。このような構成によれば、移動体３０が第１方向Ｄ１又は第２方向Ｄ２のいずれに向けて移動しようとしているかを、第１発光装置１０ａ又は第２発光装置１０ｂのいずれが発光しているかによって、移動体３０が移動する前に移動体３０の周囲の人（例えば、道路上の歩行者）に知らせることができる。
【００３４】
移動体３０の第１モードは、移動体３０を第１方向Ｄ１に向けて移動させるための、いかなるモードを含む。一例において、移動体３０の第１モードは、移動体３０が第１方向Ｄ１に向けて移動するように移動体３０のハンドルが切られているモードを含む。他の一例において、移動体３０の第１モードは、移動体３０が第１方向Ｄ１に向けて移動するように移動体３０に備えられた制御システム（例えば、自動運転システム）から制御信号が出力されているモードを含む。
【００３５】
移動体３０の第１モードと同様にして、移動体３０の第２モードは、移動体３０を第２方向Ｄ２に向けて移動させるための、いかなるモードを含む。
【００３６】
検知システム５２は、移動体３０が第１モード又は第２モードに移行したかを検知するためのものである。検知システム５２は、様々な方法によって、移動体３０のモードを検知することができる。一例において、検知システム５２は、ハンドルの向きから移動体３０のモードを検知してもよい。他の一例において、検知システム５２は、移動体３０内の制御システム（例えば、自動運転システム）から出力された制御信号から移動体３０のモードを検知してもよい。
【００３７】
ドライバ５４は、第１発光装置１０ａの発光及び第２発光装置１０ｂの発光を制御するためのものである。ドライバ５４は、移動体３０が第１モードに移行したことを検知システム５２が検知した後、第２発光装置１０ｂを発光させないで第１発光装置１０ａを発光させることができ、移動体３０が第２モードに移行したことを検知システム５２が検知した後、第１発光装置１０ａを発光させないで第２発光装置１０ｂを発光させることができる。つまり、第１発光装置１０ａは、移動体３０が第１モードに移行したことを検知システム５２が検知した後、発光し、第２発光装置１０ｂは、移動体３０が第２モードに移行したことを検知システム５２が検知した後、発光する。一例において、ドライバ５４は、検知システム５２から出力された信号をドライバ５４が受信した後、第１発光装置１０ａ又は第２発光装置１０ｂを発光させることができる。
【００３８】
図２に示す例において、第２方向Ｄ２は、第１方向Ｄ１に対して反対である。図２に示す例では、第１方向Ｄ１は、移動体３０の前進方向に対して左方向になっており、第２方向Ｄ２は、移動体３０の前進方向に対して右方向になっている。他の例において、第１方向Ｄ１は、移動体３０の前進方向に対して前方向になっており、第２方向Ｄ２は、移動体３０の前進方向に対して後方向になっていてもよい。
【００３９】
図２に示す例において、第１発光装置１０ａ及び第２発光装置１０ｂは、移動体３０の両側のフロントドア３０ａ（図１）に取り付けられている。他の例において、第１発光装置１０ａ及び第２発光装置１０ｂは、移動体３０の他の位置に取り付けられていてもよい。
【００４０】
第２方向Ｄ２は、第１方向Ｄ１に対して反対でなくてもよく、第１方向Ｄ１から０°超１８０°未満にあってもよい。この場合においても、移動体３０が第１方向Ｄ１又は第２方向Ｄ２のいずれに向けて移動しようとしているかを、第１発光装置１０ａ又は第２発光装置１０ｂのいずれが発光しているかによって、移動体３０が移動する前に移動体３０の周囲の人（例えば、道路上の歩行者）に知らせることができる。
【００４１】
図２に示す例において、検知システム５２及びドライバ５４は、移動体３０に搭載されている。他の例において、検知システム５２及びドライバ５４の少なくとも一方は、移動体３０の外側に存在していてもよい。例えば、検知システム５２が移動体３０の外側に存在し、ドライバ５４が移動体３０に搭載されている場合、検知システム５２は、無線通信を通じてドライバ５４に信号を送信してもよい。
【００４２】
第１発光装置１０ａ及び第２発光装置１０ｂは、移動体３０が基準（例えば、車道又は車道の白線）に対して第１方向Ｄ１及び第２方向Ｄ２のいずれに向けて移動しているかによって発光してもよい。具体的には、移動体３０が基準（例えば、車道又は車道の白線）に対して第１方向Ｄ１に移動しているタイミングにおいて、第１発光装置１０ａは発光し、第２発光装置１０ｂは発光しない。このタイミングにおいて、第１発光装置１０ａは、移動体３０が第１モードに移行していなくても（例えば、第１方向Ｄ１に向けて移動体３０のハンドルが切られていなくても）、発光してもよい。移動体３０が基準（例えば、車道又は車道の白線）に対して第２方向Ｄ２に移動しているタイミングにおいて、第２発光装置１０ｂは発光し、第１発光装置１０ａは発光しない。このタイミングにおいて、第１発光装置１０ａは、移動体３０が第２モードに移行していなくても（例えば、第２方向Ｄ２に向けて移動体３０のハンドルが切られていなくても）、発光してもよい。このような構成によれば、移動体３０が基準に対して第１方向Ｄ１又は第２方向Ｄ２のいずれに向けて移動しているかを、第１発光装置１０ａ又は第２発光装置１０ｂのいずれが発光しているかによって、移動体３０の周囲の人（例えば、道路上の歩行者）に知らせることができる。
【００４３】
検知システム５２は、移動体３０が基準に対して第１方向Ｄ１又は第２方向Ｄ２のいずれに移動しているかを検知してもよい。検知システム５２は、例えば、カメラ、ソナー又はＬｉＤＡＲ（Ｌｉｇｈｔ  Ｄｅｔｅｃｔｉｏｎ  Ａｎｄ  Ｒａｎｇｉｎｇ）を含んでいてもよい。
【００４４】
ドライバ５４は、移動体３０が基準に対して第１方向Ｄ１に向けて移動したことを検知システム５２が検知した後、第２発光装置１０ｂを発光させないで第１発光装置１０ａを発光させることができ、移動体３０が基準に対して第２方向Ｄ２に向けて移動したことを検知システム５２が検知した後、第１発光装置１０ａを発光させないで第２発光装置１０ｂを発光させることができる。
【００４５】
図３は、図１及び図２に示した発光システム５０の構造を説明するための図である。図４は、図３のＡ−Ａ断面図である。図５は、図３のＢ−Ｂ断面図である。
【００４６】
図３を用いて、発光システム５０の概要を説明する。発光システム５０は、発光装置１０及び収容部２０を含んでいる。収容部２０は、移動体３０に取り付けられており、収容空間２２を有している。発光装置１０は、収容空間２２内に可動に収容されており、収容部２０に接着されていない。
【００４７】
上述した構成によれば、温度変化による発光装置１０の損傷を低減することができる。発光装置１０の温度は、発光装置１０の状態及び発光装置１０の周囲の状態に応じて、変化する。例えば、発光装置１０の温度は、発光装置１０自身から発生する熱の増加又は移動体３０から発生する熱の増加によって上昇し、発光装置１０自身から発生する熱の減少又は移動体３０から発生する熱の減少によって低下する。発光装置１０の温度が変化すると、発光装置１０の様々な変形（例えば、膨張、収縮又は反り）が生じ得る。仮に、発光装置１０が収容部２０に完全に固定されていると、発光装置１０の温度の変化時における収容部２０から発光装置１０への応力によって、発光装置１０に様々な損傷（例えば、クラック又は歪み）が生じ得る。これに対して、上述した構成においては、発光装置１０は、収容空間２２内に可動に収容されている。このような構成においては、発光装置１０の温度が変化しても、収容部２０から発光装置１０への応力を緩和することができる。したがって、温度変化による発光装置１０の損傷を低減することができる。
【００４８】
図３を用いて、発光システム５０の構造の詳細を説明する。
【００４９】
図３に示す例において、発光装置１０は、有機発光ダイオード（ＯＬＥＤ）である。
【００５０】
発光装置１０は、板形状を有している。発光装置１０は、第１面１２、第２面１４、第１側１６ａ、第２側１６ｂ、第３側１６ｃ及び第４側１６ｄを有している。第２面１４は、第１面１２の反対側にある。第１面１２及び第２面１４の形状は、実質的な矩形となっている。この実質的な矩形は、完全な矩形でなくてもよく、例えば、矩形の角は丸まっていてもよい。第１側１６ａは、第１面１２及び第２面１４の間にある。第２側１６ｂは、第１側１６ａの反対側にある。第３側１６ｃは、第１側１６ａ及び第２側１６ｂの間にある。第４側１６ｄは、第３側１６ｃの反対側にある。発光装置１０は、第１面１２及び第２面１４の間に厚さＴを有し、第１側１６ａ及び第２側１６ｂの間に長さＬ１を有し、第３側１６ｃ及び第４側１６ｄの間に長さＬ２を有している。発光装置１０の形状は、図３に示す例に限定されない。
【００５１】
図３に示す例において、発光装置１０の長さＬ２は、発光装置１０の長さＬ１より大きくなっている。発光装置１０における長さＬ１に対する長さＬ２の比Ｌ２／Ｌ１は、例えば、１０以上であってもよい。発光装置１０が細長い形状を有する場合、発光装置１０は、長さＬ２の方向に沿って湾曲しやすい。本実施形態においては、発光装置１０が湾曲しやすくても、温度変化による発光装置１０の損傷を低減することができる。
【００５２】
一例において、収容部２０は、移動体３０に取り付け可能かつ取り外し可能に取り付けられていてもよい。他の例において、収容部２０は、移動体３０と一体となっていてもよく、例えば、収容部２０は、移動体３０の一部分となっていてもよい。
【００５３】
図４及び図５を用いて、発光システム５０の構造の詳細を説明する。
【００５４】
図４に示すように、収容部２０の収容空間２２は、第１内面２２ａ、第２内面２２ｂ、第３内面２２ｃ及び第４内面２２ｄを有している。収容部２０の第１内面２２ａ、第２内面２２ｂ、第３内面２２ｃ及び第４内面２２ｄは、それぞれ、発光装置１０の第１面１２、第２面１４、第１側１６ａ及び第２側１６ｂに対向している。収容空間２２は、第１内面２２ａ及び第４内面２２ｄの間に長さＬｚを有しており、第３内面２２ｃ及び第４内面２２ｄの間に長さＬｘを有している（図４に示す例では、長さＬｘは、第３内面２２ｃ及び第４内面２２ｄの間の最小長さを示している。）。
【００５５】
発光装置１０の第１面１２及び収容空間２２の第１内面２２ａの間及び発光装置１０の第２面１４及び収容空間２２の第２内面２２ｂの間の少なくとも一方には、隙間が存在している。発光装置１０の第１面１２及び第２面１４は、それぞれ、収容空間２２の第１内面２２ａ及び第２内面２２ｂに接着されていない。隙間によって、発光装置１０は、収容空間２２の第１内面２２ａ及び第２内面２２ｂの間で可動になっている。
【００５６】
発光装置１０の厚さＴに対する収容空間２２の長さＬｚの比Ｌｚ／Ｔは、例えば、１．０１以上１＋０．０４４Ｌ２／Ｔ以下にしてもよい。比Ｌｚ／Ｔが上述した下限以上にある場合、収容部２０から発光装置１０への応力を緩和することができる。比Ｌｚ／Ｔが上述した上限以下にある場合、収容空間２２内における発光装置１０の揺らぎを低減することができるとともに、図１２を用いて後述するように発光装置１０の湾曲を低減することができる。
【００５７】
発光装置１０の第１側１６ａ及び収容空間２２の第３内面２２ｃの間及び発光装置１０の第２側１６ｂ及び収容空間２２の第４内面２２ｄの間の少なくとも一方には、隙間が存在している。発光装置１０の第１側１６ａ及び第２側１６ｂは、それぞれ、収容空間２２の第３内面２２ｃ及び第４内面２２ｄに接着されていない。隙間によって、発光装置１０は、収容空間２２の第３内面２２ｃ及び第４内面２２ｄの間で可動になっている。
【００５８】
発光装置１０の長さＬ１に対する収容空間２２の長さＬｘの比Ｌｘ／Ｌ１は、例えば、１．０１以上１．２０以下にしてもよい。比Ｌｘ／Ｌ１が上述した下限以上にある場合、収容部２０から発光装置１０への応力を緩和することができる。比Ｌｘ／Ｌ１が上述した上限以下にある場合、収容空間２２内における発光装置１０の揺らぎを低減することができる。
【００５９】
発光装置１０の長さＬ１及び収容空間２２の長さＬｘの差Ｌｘ−Ｌ１は、例えば、１．０ｍｍ未満にしてもよい。長さＬ１の方向における発光装置１０の膨張が僅かな場合、差Ｌｘ−Ｌ１が上述した値未満であっても、収容部２０から発光装置１０への応力を緩和することができる。
【００６０】
図５に示すように、収容部２０の収容空間２２は、第５内面２２ｅ及び第６内面２２ｆをさらに有している。収容部２０の第５内面２２ｅ及び第６内面２２ｆは、それぞれ、発光装置１０の第３側１６ｃ及び第４側１６ｄに対向している。収容空間２２は、第５内面２２ｅ及び第６内面２２ｆの間に長さＬｙを有している（図５に示す例では、長さＬｙは、第５内面２２ｅ及び第６内面２２ｆの間の最小長さを示している。）。
【００６１】
発光装置１０の第３側１６ｃ及び収容空間２２の第５内面２２ｅの間及び発光装置１０の第４側１６ｄ及び収容空間２２の第６内面２２ｆの間の少なくとも一方には、隙間が存在している。発光装置１０の第３側１６ｃ及び第４側１６ｄは、それぞれ、収容空間２２の第５内面２２ｅ及び第６内面２２ｆに接着されていない。隙間によって、発光装置１０は、収容空間２２の第５内面２２ｅ及び第６内面２２ｆの間で可動になっている。
【００６２】
発光装置１０の長さＬ２に対する収容空間２２の長さＬｙの比Ｌｙ／Ｌ２は、例えば、１．００１以上１．１００以下にしてもよい。比Ｌｙ／Ｌ２が上述した下限以上にある場合、収容部２０から発光装置１０への応力を緩和することができる。比Ｌｙ／Ｌ２が上述した上限以下にある場合、収容空間２２内における発光装置１０の揺らぎを低減することができる。
【００６３】
発光装置１０の長さＬ２及び収容空間２２の長さＬｙの差Ｌｙ−Ｌ２は、例えば、１．０ｍｍ未満にしてもよい。長さＬ２の方向における発光装置１０の膨張が僅かな場合、差Ｌｙ−Ｌ２が上述した値未満であっても、収容部２０から発光装置１０への応力を緩和することができる。
【００６４】
図４及び図５に示す例において、収容部２０は、第１収容部材２１０及び第２収容部材２２０を有している。
【００６５】
第１収容部材２１０は、凹部２１２を有している。凹部２１２は、第１内面２２ａ（凹部２１２の底面）、第３内面２２ｃ、第４内面２２ｄ、第５内面２２ｅ及び第６内面２２ｆ（凹部２１２の内側面）を有している。凹部２１２は、深さＤ（図内のＺ方向）を有している。
【００６６】
第２収容部材２２０は、凸部２２２を有している。凸部２２２は、第２内面２２ｂ（凸部２２２の頂面）を有している。凸部２２２は、高さＨ（図内のＺ方向）を有している。
【００６７】
第１収容部材２１０及び第２収容部材２２０は、第２収容部材２２０の凸部２２２の少なくとも一部分が第１収容部材２１０の凹部２１２内に位置するように、互いに取り付けられている。したがって、発光装置１０を凹部２１２内に安定して配置した後、第１収容部材２１０及び第２収容部材２２０を互いに取り付けて、発光装置１０を収容部２０内に収容することができる。
【００６８】
図４及び図５に示す例において、凹部２１２の深さＤ及び凸部２２２の高さＨは、発光装置１０の厚さＴより大きくなっている。つまり、凹部２１２の深さＤは、発光装置１０を凹部２１２内に安定して配置させることができるように、大きくなっている。さらに、凸部２２２の高さＨは、収容空間２２の長さＬｚが発光装置１０の厚さＴより大きくなりすぎないように、大きくなっている。
【００６９】
図４及び図５に示す例において、凹部２１２の開口の面積は、凹部２１２の下端（第１内面２２ａ）から凹部２１２の上端に向かうにつれて大きくなっている。したがって、凹部２１２の上端から発光装置１０を入れやすくなっている。凹部２１２の開口の面積は、凹部２１２の下端（第１内面２２ａ）から凹部２１２の上端にかけて、実質的に一定であってもよい。
【００７０】
図４及び図５に示す例では、第１収容部材２１０は、第２収容部材２２０によって覆われている。第１収容部材２１０の形状及び第２収容部材２２０の形状は、図４及び図５に示す例に限定されない。
【００７１】
第１収容部材２１０及び第２収容部材２２０は、様々な方法によって、互いに取り付け可能である。例えば、第１収容部材２１０及び第２収容部材２２０は、固定具（例えば、ねじ）を介して互いに接合されていてもよいし、又は接着剤を介して互いに接着されていてもよい。
【００７２】
発光装置１０は、面光源（例えば、ＯＬＥＤ）として機能することができ、第１面１２及び第２面１４のうちの少なくとも一方から光を発することができる。したがって、複数の点光源（例えば、ＬＥＤ）を平面領域内に並べることなく、発光装置１０は、第１面１２及び第２面１４の少なくとも一方から、ほぼ均一の光を発することができる。さらに、導光板を用いることなく、発光装置１０は、第１面１２及び第２面１４の少なくとも一方から、ほぼ均一の光を発することができる。
【００７３】
発光装置１０が第２面１４から光を発する場合、第２収容部材２２０は、透光性を有している一方で、第１収容部材２１０は、透光性を有していてもよいし、又は透光性を有していなくてもよい。この場合、第１収容部材２１０は、移動体３０（例えば、図１又は図２）に取り付け可能かつ取り外し可能に取り付けられていてもよいし、又は移動体３０と一体となっていてもよい。
【００７４】
発光装置１０が第１面１２から光を発する場合、第１収容部材２１０は、透光性を有している一方で、第２収容部材２２０は、透光性を有していてもよいし、又は透光性を有していなくてもよい。この場合、第２収容部材２２０は、移動体３０（例えば、図１又は図２）に取り付け可能かつ取り外し可能に取り付けられていてもよいし、又は移動体３０と一体となっていてもよい。
【００７５】
図４及び図５を用いて、発光装置１０を収容部２０に収容する方法の一例を説明する。
【００７６】
まず、第１収容部材２１０を準備する。第１収容部材２１０は、移動体３０（例えば、図１又は図２）から離間していてもよいし、又は移動体３０と一体であってもよい。
【００７７】
次いで、第１収容部材２１０の凹部２１２内に発光装置１０を配置する。図４及び図５に示す例では、凹部２１２の深さＤは、発光装置１０を凹部２１２内に安定して配置させることができるように、発光装置１０の厚さＴより大きくなっている。さらに、凸部２２２の高さＨは、収容空間２２の長さＬｚが発光装置１０の厚さＴより大きくなりすぎないように、発光装置１０の厚さＴより大きくなっている。このプロセスにおいて、発光装置１０は、第１収容部材２１０に固定させない。例えば、発光装置１０及び第１収容部材２１０を互いに接着せるための接着剤を、発光装置１０の第１面１２、第１側１６ａ、第２側１６ｂ、第３側１６ｃ若しくは第４側１６ｄ又は第１収容部材２１０の第１内面２２ａ、第３内面２２ｃ、第４内面２２ｄ、第５内面２２ｅ若しくは第６内面２２ｆに設けない。
【００７８】
次いで、第２収容部材２２０を準備する。
【００７９】
次いで、第２収容部材２２０の凸部２２２の少なくとも一部分が第１収容部材２１０の凹部２１２内に位置するように、第１収容部材２１０及び第２収容部材２２０を互いに取り付ける。このプロセスにおいて、発光装置１０は、第２収容部材２２０に固定させない。例えば、発光装置１０及び第２収容部材２２０を互いに接着せるための接着剤を、発光装置１０の第２面１４又は第２収容部材２２０の第２内面２２ｂに設けない。
【００８０】
このようにして、発光装置１０を収容部２０内に収容することができる。
【００８１】
収容部２０は、発光装置１０が収容部２０内に収容された後に移動体３０（例えば、図１又は図２）に取り付けられてもよいし、又は発光装置１０が収容部２０内に収容される前（例えば、発光装置１０が第１収容部材２１０の凹部２１２内に収容された後かつ第１収容部材２１０及び第２収容部材２２０が互いに取り付けられる前）に移動体３０（例えば、図１又は図２）に取り付けられてもよい。
【００８２】
図６は、発光装置１０の一例の平面図である。図７は、図６のＰ−Ｐ断面図である。
【００８３】
発光装置１０は、ボトムエミッションであってもよいし、又はトップエミッションであってもよい。発光装置１０がボトムエミッションである場合、発光装置１０は、第２面１４から光を発する。発光装置１０がトップエミッションである場合、発光装置１０は、第１面１２から光を発する。
【００８４】
発光装置１０は、基板１００、第１電極１１０、有機層１２０、第２電極１３０及び封止部１５０を含んでいる。
【００８５】
基板１００は、第１面１０２、第２面１０４、第１側１６ａ、第２側１６ｂ、第３側１６ｃ及び第４側１６ｄを有している。第１電極１１０、有機層１２０、第２電極１３０及び封止部１５０は、基板１００の第１面１０２側に位置している。第２面１０４は、第１面１０２の反対側にある。第２面１０４は、発光装置１０の第２面１４となっている。第１側１６ａ、第２側１６ｂ、第３側１６ｃ及び第４側１６ｄは、第１面１０２及び第２面１０４の間にある。
【００８６】
基板１００は、透光性及び可撓性を有していてもよい。基板１００は、樹脂基板であってもよく、有機材料（例えば、ＰＥＮ（ポリエチレンナフタレート）、ＰＥＳ（ポリエーテルサルホン）、ＰＥＴ（ポリエチレンテレフタラート）又はポリイミド）を含んでいてもよい。基板１００が樹脂基板である場合、基板１００の第１面１０２及び第２面１０４の少なくとも一方は、無機バリア層（例えば、ＳｉＮ又はＳｉＯＮ）を有していてもよい。樹脂基板は、温度変化によって変形しやすい。本実施形態においては、樹脂基板を用いたとしても、温度変化による発光装置１０の損傷を低減することができる。基板１００は、樹脂基板以外の基板（例えば、ガラス基板）であってもよい。
【００８７】
第１電極１１０、有機層１２０及び第２電極１３０は、基板１００の第１面１０２から順に並んで、発光部１４０を形成している。
【００８８】
第１電極１１０は、陽極として機能している。第１電極１１０は、透光性を有していてもよいし、又は透光性を有していなくてもよい。
【００８９】
有機層１２０は、有機エレクトロルミネッセンス（ＥＬ）により発光可能な発光層（ＥＭＬ）を含んでいる。有機層１２０は、正孔注入層（ＨＩＬ）、正孔輸送層（ＨＴＬ）、電子輸送層（ＥＴＬ）及び電子注入層（ＥＩＬ）を適宜含んでいてもよい。有機層１２０は、電荷発生層（ＣＧＬ）をさらに含んでいてもよい。
【００９０】
第２電極１３０は、陰極として機能している。第２電極１３０は、透光性を有していてもよいし、又は透光性を有していなくてもよい。
【００９１】
一例において、第１電極１１０が透光性を有していてもよく、第２電極１３０が遮光性、特に光反射性を有していてもよい。この例において、有機層１２０から発せられた光は、第１電極１１０及び基板１００を透過して発光装置１０の第２面１４から出射される。
【００９２】
他の例において、第１電極１１０が遮光性を有していてもよく、第２電極１３０が透光性、特に光反射性を有していてもよい。この例において、有機層１２０から発せられた光は、第２電極１３０を透過して発光装置１０の第１面１２から出射される。
【００９３】
さらに他の例において、第１電極１１０及び第２電極１３０の双方が透光性を有していてもよい。この例において、有機層１２０から発せられた光の一部は、第１電極１１０及び基板１００を透過して発光装置１０の第２面１４から出射され、有機層１２０から発せられた光の他の一部は、第２電極１３０を透過して発光装置１０の第１面１２から出射される。
【００９４】
一例において、第１電極１１０が透光性導電材料を含む場合、第１電極１１０は、透光性を有することができる。透明導電材料は、例えば、金属酸化物（例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ））又はＩＧＺＯ（Ｉｎｄｉｕｍ  Ｇａｌｉｕｍ  Ｚｉｎｃ  Ｏｘｉｄｅ）、カーボンナノチューブ又は導電性高分子（例えば、ＰＥＤＯＴ）である。他の例において、第１電極１１０が金属薄膜（例えば、Ａｇ）又は合金薄膜（例えば、ＡｇＭｇ）である場合、第１電極１１０は、透光性を有することができる。第２電極１３０についても同様である。
【００９５】
一例において、第１電極１１０が遮光性導電材料、特に光反射性導電材料を含む場合、第１電極１１０は、遮光性、特に光反射性を有することができる。一例において、遮光性導電材料は、金属又は合金であり、より具体的には、Ａｌ、Ａｕ、Ａｇ、Ｐｔ、Ｍｇ、Ｓｎ、Ｚｎ及びＩｎからなる群の中から選択される少なくとも１つの金属又はこの群から選択される金属の合金である。第２電極１３０についても同様である。
【００９６】
第１電極１１０の導電率が低い場合、例えば、第１電極１１０が透光性導電材料を含む場合、発光装置１０は、第１電極１１０の補助電極として機能する導電層（不図示）を含んでいてもよい。導電層は、第１電極１１０に覆われていてもよいし、又は第１電極１１０上に位置していてもよい。導電層は、例えば、ＭＡＭ（Ｍｏ／Ａｌ／Ｍｏ）である。
【００９７】
図６に示す例では、第１電極１１０及び第２電極１３０は、配線板１６２（例えば、フレキシブルプリント回路（ＦＰＣ））及びケーブル１６４を介して、発光装置１０の外側の電源（不図示）に電気的に接続されている。
【００９８】
封止部１５０は、発光部１４０（第１電極１１０、有機層１２０及び第２電極１３０）を封止している。図７に示す例において、封止部１５０は、封止缶であり、接着剤１５２を介して基板１００の第１面１０２に接着されている。封止部１５０は、封止缶以外の要素であってもよく、例えば、封止膜（例えば、原子層堆積（ＡＬＤ）によって形成された無機層）であってもよい。
【００９９】
図７に示す例において、発光装置１０における第１面１２及び第２面１４の間の厚さＴは、封止部１５０の上面（第１面１２）及び基板１００の第２面１０４（第２面１４）の間の長さとなっている。
【０１００】
（変形例１）
図８は、変形例１に係る発光システム５０の断面図であり、実施形態の図４に対応する。図９は、変形例１に係る発光システム５０の断面図であり、実施形態の図５に対応する。変形例１に係る発光システム５０は、以下の点を除いて、実施形態に係る発光システム５０と同様である。
【０１０１】
図８及び図９に示すように、第２収容部材２２０は、凸部２２２（図４及び図５）を有していなくてもよい。図８及び図９に示す例においても、発光装置１０を凹部２１２内に安定して配置した後、第１収容部材２１０及び第２収容部材２２０を互いに取り付けて、発光装置１０を収容部２０に収容することができる。
【０１０２】
（変形例２）
図１０は、変形例２に係る発光システム５０の断面図であり、実施形態の図４に対応する。図１１は、変形例２に係る発光システム５０の断面図であり、実施形態の図５に対応する。変形例２に係る発光システム５０は、以下の点を除いて、実施形態に係る発光システム５０と同様である。
【０１０３】
図１０及び図１１に示すように、収容空間２２の第１内面２２ａ及び第２内面２２ｂは、湾曲していてもよい。図１０及び図１１に示す例では、収容空間２２の第１内面２２ａ及び第２内面２２ｂは、第２収容部材２２０に向けて凸状に湾曲している。他の例において、収容空間２２の第１内面２２ａ及び第２内面２２ｂは、第１収容部材２１０に向けて凸状に湾曲していてもよい。
【０１０４】
図１０及び図１１に示す例では、収容空間２２の第１内面２２ａ及び第２内面２２ｂは、放物面状に湾曲しており、図内のＸ方向に沿った断面（図１０に示す断面）及び図内のＹ方向に沿った断面（図１１に示す断面）の双方において湾曲している。他の例において、収容空間２２の第１内面２２ａ及び第２内面２２ｂは、図内のＸ方向に沿った断面（図１０に示す断面に相当する断面）では湾曲していてもよく、図内のＹ方向に沿った断面（図１１に示す断面に相当する断面）では実質的に平坦であってもよい。さらに他の例において、収容空間２２の第１内面２２ａ及び第２内面２２ｂは、図内のＸ方向に沿った断面（図１０に示す断面に相当する断面）では実質的に平坦であってもよく、図内のＹ方向に沿った断面（図１１に示す断面に相当する断面）では湾曲していてもよい。
【０１０５】
図１２は、発光装置１０の湾曲の詳細を説明するための図である。
【０１０６】
発光装置１０の湾曲、特に、第１内面２２ａ又は第２内面２２ｂに対する発光装置１０の端における角度θは、収容空間２２の長さＬｚによって制御することができる。上述した比Ｌｚ／Ｔが１＋０．０４４Ｌ２／Ｔ以下であるとき、角度θは、１０°以下にすることができる。発光装置１０の発光面（例えば、第２面１４）の各位置における光度分布は、発光面の法線方向にピーク強度を有し得る。特に、発光装置１０がマイクロキャビティ構造を有する場合、発光装置１０の指向性は特に強くなる。この場合であっても、角度θが小さいときは、発光装置１０の発光面の前方における輝度の低下を抑えることができる。
【０１０７】
以上、図面を参照して実施形態及び実施例について述べたが、これらは本発明の例示であり、上記以外の様々な構成を採用することもできる。
【符号の説明】
【０１０８】
１０  発光装置
１０ａ  第１発光装置
１０ｂ  第２発光装置
１２  第１面
１４  第２面
１６ａ  第１側
１６ｂ  第２側
１６ｃ  第３側
１６ｄ  第４側
２０  収容部
２２  収容空間
２２ａ  第１内面
２２ｂ  第２内面
２２ｃ  第３内面
２２ｄ  第４内面
２２ｅ  第５内面
２２ｆ  第６内面
３０  移動体
３０ａ  フロントドア
３０ｂ  リアドア
３０ｃ  センタピラー
３０ｄ  ルーフ
３０ｅ  フロントフェンダ
３０ｆ  リアフェンダ
５０  発光システム
５２  検知システム
５４  ドライバ
１００  基板
１０２  第１面
１０４  第２面
１１０  第１電極
１２０  有機層
１３０  第２電極
１４０  発光部
１５０  封止部
１５２  接着剤
１６２  配線板
１６４  ケーブル
２１０  第１収容部材
２１２  凹部
２２０  第２収容部材
２２２  凸部
【図１】
2020090111.tif 000003
【図２】
2020090111.tif 000004
【図３】
2020090111.tif 000005
【図４】
2020090111.tif 000006
【図５】
2020090111.tif 000007
【図６】
2020090111.tif 000008
【図７】
2020090111.tif 000009
【図８】
2020090111.tif 000010
【図９】
2020090111.tif 000011
【図１０】
2020090111.tif 000012
【図１１】
2020090111.tif 000013
【図１２】
2020090111.tif 000014